(57)【要約】【課題】正常に動作しているセンサの数がゼロになっても、照明装置の不点灯または誤動作を防ぐことができること。【解決手段】照明制御システム１は、周囲の状況を検出するセンサ２が搭載される複数の照明装置３と照明装置３間を接続する信号線４とから構成される。照明装置３は、照明負荷３１と、照明負荷３１を点灯させる点灯回路３２と、センサ２を抜き差し自在に接続する接続部３４と、信号線４を通じてセンサ２の検出値を通信する通信部３６とを備える。また、照明装置３は、センサ２の検出値に応じて点灯回路３２を制御する制御部３０と、センサ２が正常に動作しているか否かを判定する判定部４０とを備える。通信部３６は判定部４０の判定結果を通信する。制御部３０は、全ての照明装置３の中で正常に動作中のセンサ２の数がゼロであれば点灯回路３２を制御して予め決められた所定の照度で照明負荷３１を点灯させる。【選択図】図１
2010176912.tif 000002
【特許請求の範囲】
【請求項１】
周囲の状況を検出するセンサが搭載される複数の照明装置と、前記照明装置間を接続す
る信号線とから構成され、
前記照明装置は、照明負荷と、前記照明負荷を点灯させる点灯回路と、前記センサで検
出される検出値に応じて前記点灯回路を制御する制御部と、前記センサを抜き差し自在に
接続する接続部と、前記センサが正常に動作しているか否かを判定する判定部と、前記信
号線を通じて前記センサの検出値及び前記判定部の判定結果を通信する通信部とを備え、
前記制御部は、全ての前記照明装置の中で正常に動作している前記センサの数がゼロで
あれば、前記点灯回路を制御して予め決められた所定の照度で前記照明負荷を点灯させる
ことを特徴とする照明制御システム。
【請求項２】
全ての前記照明装置には、自身の前記判定部の判定結果と前記信号線を通じて送信され
てくる判定結果とを基に正常に動作している前記センサの数を記憶する記憶部が設けられ
ていることを特徴とする請求項１記載の照明制御システム。
【請求項３】
前記センサは、前記照明装置の周囲の照度を検出する明るさセンサであることを特徴と
する請求項１または２記載の照明制御システム。
【請求項４】
前記センサは、前記照明装置の周囲の人体を感知する人感センサであることを特徴とす
る請求項１または２記載の照明制御システム。
【請求項５】
前記センサは、前記照明装置の周囲の照度を検出する明るさセンサと前記照明装置の周
囲の人体を感知する人感センサとから構成され、前記制御部は、正常に動作している前記
明るさセンサの数、又は正常に動作している前記人感センサの数のうち何れか一方の数が
ゼロであれば、前記点灯回路を制御して予め決められた所定の照度で前記照明負荷を点灯
させることを特徴とする請求項１または２記載の照明制御システム。
【発明の詳細な説明】
【技術分野】
【０００１】
本発明は、複数の照明装置を点灯制御する照明制御システムに関するものである。
【背景技術】
【０００２】
従来より、オフィスビル内や公共施設内など比較的広い空間の天井面に設置される複数
の照明装置と、照明装置間を接続する信号線とから構成された種々の照明制御システムが
提供されている。この様な照明制御システムは、照明装置に周囲の状況を検出するセンサ
を搭載しており、センサで検出される検出値に応じて照明負荷の点灯・消灯・調光制御が
行われる。そして、照明制御システムには、複数の照明装置からなる子機とその子機を制
御管理する親機とから構成されて、各子機は信号線を通じて親機へセンサの検出値を送信
し、親機は受信した検出値を基に照明装置を一括制御する所謂、集中制御型の照明制御シ
ステムと、各照明装置が個々に自身のセンサの検出値を基に照明負荷の制御を行い、更に
信号線を通じて検出値を他の照明装置へ送信して制御する所謂、分散制御型の照明制御シ
ステムとがある。
【０００３】
上述の様な照明制御システムに用いられるセンサには、例えば照明装置の周囲の照度を
検出する明るさセンサや照明装置の周囲の人体を感知する人感センサがある。明るさセン
サが搭載される照明装置は、周囲の照度を検出して予め設定した目標照度に達するように
照明負荷の調光率を変更することができる。例えば、日中の窓側付近は外光の入射により
照度が高くなり易い。そこで明るさセンサに窓側付近の照度を検出させて窓側の天井面に
設置される照明負荷の調光率を絞らせれば、効果的に省エネルギ化を図ることができる。
【０００４】
また、人感センサが搭載される照明装置は、人が感知されなければ照明負荷を消灯させ
て、人が感知されれば照明負荷を点灯させることで、効果的に省エネルギ化を図ることが
できる。そして、この様な明るさセンサ及び人感センサの両方を備えた照明制御システム
は従来より種々提供されている。
【０００５】
ところで、従来の照明制御システムの照明装置は上述のセンサを内蔵する構造を有して
いた。そのため、例えばセンサを搭載していない一般の照明装置が設置されている空間の
一部を通路へとレイアウト変更し、その通路を歩く人（人体）を感知したときのみ点灯す
るように変更するには、人感センサを内蔵した照明装置へ全て交換しなければいけないと
いう問題があった。これに対してセンサを抜き差し自在に接続する接続部が設けられた照
明装置が提供されており、レイアウト変更に伴うセンサの取付け及び取外しを容易に行う
ことができる（特許文献１参照）。
【先行技術文献】
【特許文献】
【０００６】
【特許文献１】特開２００２−１１０３７６号公報
【発明の概要】
【発明が解決しようとする課題】
【０００７】
しかしながら、従来のセンサを抜き差し自在に接続する照明装置から構成された照明制
御システムは、利用者又は管理者が気づかないところでセンサが照明装置から抜け落ちる
恐れがあった。そして、従来の照明制御システムは、センサが抜け落ちたり、接続されて
いてもセンサが故障していたり、レイアウトの変更やメンテナンスの際にセンサが作業者
によって意図的に取外されたりすることにより正常に動作している全センサの数がゼロに
なると、点灯・消灯・調光制御に不具合が発生する問題があった。例えば、センサが人感
センサであれば人体を感知できなくなり、本来の点灯・消灯制御を行わなくなる。即ち、
照明装置が消灯しているときに正常に動作している人感知センサの数がゼロになると、照
明装置付近を人が通過しても点灯することはなく、人体が感知されて照明装置が点灯して
いるときに正常に動作している人感センサの数がゼロになると、人が居るにも係わらず一
瞬に消灯してしまう。また、センサが明るさセンサであっても本来の調光制御を行わなく
なる。例えば、５０％の調光率で点灯しているときに正常に動作している明るさセンサの
数がゼロになると、現在の照度が不明となり５０％の調光率のまま点灯し続けてしまう。
【０００８】
本発明は上記事由に鑑みて為されたものであり、その目的は、正常に動作しているセン
サの数がゼロになっても、照明装置の不点灯または誤動作を防ぐことができる照明制御シ
ステムを提供することにある。
【課題を解決するための手段】
【０００９】
請求項１の発明は、上記目的を達成するために、周囲の状況を検出するセンサが搭載さ
れる複数の照明装置と、前記照明装置間を接続する信号線とから構成され、前記照明装置
は、照明負荷と、前記照明負荷を点灯させる点灯回路と、前記センサで検出される検出値
に応じて前記点灯回路を制御する制御部と、前記センサを抜き差し自在に接続する接続部
と、前記センサが正常に動作しているか否かを判定する判定部と、前記信号線を通じて前
記センサの検出値及び前記判定部の判定結果を通信する通信部とを備え、前記制御部は、
全ての前記照明装置の中で正常に動作している前記センサの数がゼロであれば、前記点灯
回路を制御して予め決められた所定の照度で前記照明負荷を点灯させることを特徴とする
。
【００１０】
この発明によれば、前記センサが正常に動作しているか否かを判定する判定部と、前記
信号線を通じて前記判定部の判定結果を通信する通信部とを備え、前記制御部は、全ての
前記照明装置の中で正常に動作している前記センサの数がゼロであれば、前記点灯回路を
制御して予め決められた所定の照度で前記照明負荷を点灯させるので、正常に動作してい
る前記センサの数がゼロになっても、前記照明装置の不点灯または誤動作を防ぐことがで
きる。
【００１１】
請求項２の発明は、請求項１の発明において、全ての前記照明装置には、自身の前記判
定部の判定結果と前記信号線を通じて送信されてくる判定結果とを基に正常に動作してい
る前記センサの数を記憶する記憶部が設けられていることを特徴とする。
【００１２】
この発明によれば、個々の前記照明装置が正常に動作している前記センサの数を記憶す
ることができ、自身の前記記憶部内の前記センサの数がゼロになれば、自身の前記照明負
荷を予め決められた所定の照度で点灯させることができる。
【００１３】
請求項３の発明は、請求項１または２の発明において、前記センサは、前記照明装置の
周囲の照度を検出する明るさセンサであることを特徴とする。
【００１４】
この発明によれば、請求項１または２記載の発明と同様の効果を奏する照明制御システ
ムが提供できる。
【００１５】
請求項４の発明は、請求項１または２の発明において、前記センサは、前記照明装置の
周囲の人体を感知する人感センサであることを特徴とする。
【００１６】
この発明によれば、請求項１または２記載の発明と同様の効果を奏する照明制御システ
ムが提供できる。
【００１７】
請求項５の発明は、請求項１または２の発明において、前記照明装置の周囲の照度を検
出する明るさセンサと前記照明装置の周囲の人体を感知する人感センサとから構成され、
前記制御部は、正常に動作している前記明るさセンサの数、又は正常に動作している前記
人感センサの数のうち何れか一方の数がゼロであれば、前記点灯回路を制御して予め決め
られた所定の照度で前記照明負荷を点灯させることを特徴とする。
【００１８】
この発明によれば、前記センサが前記明るさセンサと前記人感センサとから構成されて
いても、請求項１または２記載の発明と同様の効果を奏する照明制御システムが提供でき
る。
【発明の効果】
【００１９】
本発明では、正常に動作しているセンサの数がゼロになっても、照明装置の不点灯また
は誤動作を防ぐことができるという効果がある。
【図面の簡単な説明】
【００２０】
【図１】本発明の実施形態のブロック図である。
【図２】同上における全体の概略ブロック図である。
【図３】同上における明るさセンサと人感センサとを備えたセンサのブロック図である。
【図４】同上における記憶部のブロック図である。
【図５】（ａ）〜（ｃ）は同上における人感センサを１個取付けたときの説明図である。
【図６】（ａ）〜（ｃ）は同上における人感センサを１個取外したときの説明図である。
【図７】（ａ）〜（ｄ）は同上における人感センサを２個取外して、人感センサの数を０にしたときの説明図である。
【図８】同上における人感グループセンサ数を‘２’から‘１’、‘０’へと推移させたときのタイミングチャート図であり、（ａ）は人感グループセンサ数の変化、（ｂ）は人が居る時の調光率の変化、（ｃ）は人が居ない時の調光率の変化を示す。
【図９】同上における人感グループセンサ数を‘２’から‘０’、‘１’へと推移させたときのタイミングチャート図であり、（ａ）は人感グループセンサ数の変化、（ｂ）は人が居る時の調光率の変化、（ｃ）は人が居ない時の調光率の変化を示す。
【図１０】同上における照明負荷を設置してから点灯開始させたときのタイミングチャート図であり、（ａ）は照明負荷の光束の変化、（ｂ）は保守率の変化を示す。
【発明を実施するための形態】
【００２１】
以下、本発明の実施形態について、図１〜図１０を参照して説明する。本実施形態の照
明制御システム１は、図１及び図２に示すように、センサ２が搭載される複数の照明装置
３（３ａ，３ｂ，３ｃ，３ｄ）と、照明装置３ａ，３ｂ，３ｃ，３ｄ間を接続する１系統
の信号線４とから構成されている。そして、照明装置３ａ，３ｂ，３ｃ，３ｄは、リモコ
ン５によって遠隔操作されて予め固有の照明装置アドレス６が設定されたり、グループ用
のアドレスが設定されてグループ化される。尚、照明装置３には後述の各部を駆動させる
ための電力が、電源線（図示せず）を介して商用電源より供給されている。
【００２２】
センサ２は、図１に示すように、周囲の状況を検出する検知部２１と、検知部２１の検
出値を電圧信号として出力する制御部２２と、照明装置３と通信する通信部２３とから構
成される。制御部２２はマイクロプロセッサ等から構成され、通信部２３はＲＳ４８５等
に準拠した２線式シリアル通信回路で構成される。そして、センサ２は、照明装置３の周
囲の照度を検出する明るさセンサＡであっても、照明装置３の周囲の人体を感知する人感
センサＢであってもよい。センサ２が明るさセンサＡである場合、検知部２１は光電変換
を行う受光素子を含む回路で構成された照度検知部２１ａとする。センサ２が人感センサ
Ｂである場合、検知部２１は人体の移動により赤外線の変化を検出する赤外線検出素子を
含む回路で構成された人感検知部２１ｂとする。また、センサ２は、図３に示すように、
照度検知部２１ａと人感検知部２１ｂとを一体に備えていてもよい。尚、以下の説明でセ
ンサ２と表記する場合は、明るさセンサＡと人感センサＢの両方を指し示すものとする。
また、以下の説明では、明るさセンサＡと人感センサＢとが照明装置３へ個々に接続する
ことが可能で、両方を接続したり片方のみを接続したりすることができるものとする。
【００２３】
リモコン５は、押圧により操作されるボタン等からなる操作部５０と、操作部５０の操
作に基づき各種操作信号を生成する制御部５１と、その操作信号を照明装置３へ無線送信
する無線送信部５２とを備える。制御部５１は、マイクロプロセッサ等から構成され、前
記操作信号には照明装置アドレス６やその他グループ化するためのアドレスが含まれる。
無線送信部５２は、赤外線発光ダイオード又はＲＦ電波無線モジュール等を含む無線送信
回路で構成される。
【００２４】
照明装置３は、図１に示すように、照明負荷３１、照明負荷３１を点灯させる点灯回路
３２、点灯回路３２に調光信号を出力する調光信号出力部３３、接続部３４、センサ用通
信部３５、通信部３６、及びリモコン受信部３７を備える。照明負荷３１は、蛍光灯やＬ
ＥＤ等で構成される。接続部３４は、照明負荷３１の周辺に配置され、センサ２のオス型
の接続端子（図示せず）が挿入されるメス型の接続端子（図示せず）を有しており、セン
サ２を抜き差し自在に接続する。尚、図中では接続部３４は１つのみであるが、明るさセ
ンサＡと人感センサＢの両方が接続できるように２つ設けられている。センサ用通信部３
５は、センサ２の通信部２３と同種の通信回路構成を有し、接続部３４を介してセンサ２
と通信する。通信部３６は、センサ用通信部３５と同種の通信回路構成を有しており、信
号線４を通じて他の照明装置３と通信する。また、信号線４にはこれらに合わせたシリア
ル通信用ケーブルが用いられる。尚、通信部３６は信号の衝突を回避する機能を備えた制
御方式を用いることが望ましい。リモコン受信部３７は、リモコン５から受信する無線信
号の種類に合わせて赤外線受光ＩＣ又はＲＦ電波無線モジュール等を含む無線受信回路で
構成されている。
【００２５】
また、照明装置３は、上記に加えて演算部３８と、記憶部３９と、判定部４０と、制御
部３０とを備える。演算部３８は、センサ２で検出される検出値（明るさセンサＡであれ
ば照度）より調光率の演算をするもので、マイクロプロセッサ等で構成されている。
【００２６】
記憶部３９は、図４に示すように、照明装置アドレス６、明るさグループアドレス７、
明るさグループセンサ数Ｒ、目標照度値８、人感グループアドレス９、人感グループセン
サ数Ｓ、及び点灯保持時間１０といった各種情報を記憶する。照明装置アドレス６は先述
の様にリモコン５を通じて個々の照明装置３に割り振りされるアドレスであり、記憶部３
９には自身の照明装置３の照明装置アドレス６と他の照明装置３の照明装置アドレス６と
が記憶される。明るさグループアドレス７は、リモコン５を通じて登録されるアドレスで
あり、その照明装置３を周囲の照度に応じて調光制御するグループ（以下、明るさグルー
プと称する）の一員として論理的に結びつけるものである。即ち、明るさグループアドレ
ス７を登録する照明装置３には、照度検知部２１ａを有する明るさセンサＡが接続される
。明るさグループセンサ数Ｒは、明るさグループ内の正常に動作している明るさセンサＡ
の数を示す。そして、自身の照明装置３が明るさグループの一員であれば、明るさグルー
プ内の正常に動作している明るさセンサＡの数が記憶されており、一定の間隔で更新され
る。目標照度値８は、リモコン５を通じて設定される値でその照明装置３が目標とする照
度を示す。演算部３８は目標照度値８に登録されている値を参照して調光率を演算する。
人感グループアドレス９は、リモコン５を通じて登録されるアドレスであり、その照明装
置３を周囲の人体の感知に応じて点灯・消灯制御するグループ（以下、人感グループと称
する）の一員として論理的に結びつけるものである。即ち、人感グループアドレス９を登
録する照明装置３には、人感検知部２１ｂを有する人感センサＢが接続される。人感グル
ープセンサ数Ｓは、人感グループ内の正常に動作している人感センサＢの数を示す。そし
て、自身の照明装置３が人感グループの一員であれば、人感グループ内の正常に動作して
いる人感センサＢの数が記憶されており、一定の間隔で更新される。点灯保持時間１０は
、人感センサＢが人体を感知して照明負荷３１が点灯した後、暫くして人感センサＢが人
体を感知しなくなったときに照明負荷３１が点灯状態を保持する最大時間である。この時
間が経過すれば照明負荷３１は消灯する。
【００２７】
判定部４０は、自身の照明装置３に接続されているセンサ２から一定の間隔で送信され
ている信号を監視し、この信号を受信している間はそのセンサ２が正常に動作していると
いう判定を行い、信号を受信しなくなると正常に動作していないという判定を行う。そし
て、判定部４０は、その判定結果を制御部３０へ送信する。
【００２８】
制御部３０は、センサ用通信部３５を通じてセンサ２で検出される検出値を受信し、そ
の検出値に応じて点灯回路３２を制御して照明負荷３１を点灯・消灯・調光制御する。例
えば、明るさセンサＡで検出された照度を受信すれば、その照度と記憶部３９の目標照度
値８とから演算部３８に調光率を演算させて、求められた調光率を基に調光信号出力部３
３に調光信号を出力させる。また、制御部３０は、通信部３６を通じて前記照度または前
記調光率を送信し、同じ明るさグループの一員である他の照明装置３も調光制御する。ま
た、制御部３０は、リモコン受信部３７から送信されてくる照明装置アドレス６や明るさ
グループアドレス７、人感グループアドレス９の記憶部３９への記憶を制御する。更に、
制御部３０は、判定部４０から受信した上述の判定結果を記憶部３９へ送信して、明るさ
グループセンサ数Ｒまたは人感グループセンサ数Ｓを更新させる。これと同時に、通信部
３６を通じてその判定結果を他の照明装置３の記憶部３９へも送信して更新させる。
【００２９】
そして、本実施形態の制御部３０は、自身の照明装置３の記憶部３９に記憶されている
明るさグループセンサ数Ｒまたは人感グループセンサ数Ｓのうちの何れか一方がゼロにな
れば、点灯回路３２を制御して予め決められた所定の照度（例えば、調光率１００％の照
度）で照明負荷３１を点灯させる。
【００３０】
尚、制御部３０は、他の照明装置３へ照度や調光率、判定結果等を送信する際に、送信
相手の照明装置アドレス６や明るさグループアドレス７、人感グループアドレス９の情報
を付して送信する。また、他の照明装置３から情報が送信されてきた場合、その情報に付
されている照明装置アドレス６や明るさグループアドレス７、人感グループアドレス９が
自身のものと一致するかどうか判定し、一致する場合のみ有効な情報として処理される。
【００３１】
そして、上述の様なセンサ２は、利用者や管理者等によって照明装置３から容易に取付
け取外しすることができる。しかし、センサ２の取付け固定が不十分で、後ほど気づかな
いうちに抜け落ちてしまったり、照明負荷３１の交換作業時に作業者がセンサ２と接触し
て誤って外れてしまうことがある。また、人知れずのうちにセンサ２が故障している場合
や、レイアウトの変更及びメンテナンスの際に作業者が意図的に全てのセンサ２を取外す
場合もある。従来の照明制御システムは、従来技術で述べた通り、正常に動作しているセ
ンサの数がゼロになると照明装置が不点灯になったり誤動作を起こしたりする問題があっ
た。
【００３２】
一方、本実施形態の照明制御システム１は、取付けにより正常に動作しているセンサ２
の数を増やしたり、取外しにより正常に動作しているセンサ２の数を減らしたりした場合
、次の様に動作する。尚、以下の説明では、例として人感センサＢの数を増減の対象とし
ている。
【００３３】
先ず、人感センサＢを１個取付けることで、正常に動作している人感センサＢの数を１
個増やしたときの動作について説明する。照明制御システム１は、図５（ａ）に示すよう
に、４個の照明装置３ａ，３ｂ，３ｃ，３ｄを備え、これらは全て人感グループに属して
いる。但し、実際に人感センサＢが接続されているのは照明装置３ｂ及び３ｄのみである
。従って、照明装置３ａ，３ｂ，３ｃ，３ｄの各記憶部３９の人感グループセンサ数Ｓに
は‘２’が記憶されている。この状態から照明装置３ａに人感センサＢを取り付ける。す
ると接続された人感センサＢが一定の間隔で照明装置３ａの判定部４０に信号を送信する
。この信号を受けた照明装置３ａの判定部４０は、接続部３４に接続中の人感センサＢが
正常に動作していると判定し、その判定結果を照明装置３ａの制御部３０へ送信する。判
定結果を受信した照明装置３ａの制御部３０は、図５（ｂ）に示すように、照明装置３ａ
の記憶部３９に対して人感グループセンサ数Ｓを‘２’から‘３’へと更新させる。これ
と同時に照明装置３ａの制御部３０は、通信部３６を通じて他の照明装置３ｂ，３ｃ，３
ｄへセンサ追加信号を送信する。そして、前記センサ追加信号を受信した照明装置３ｂ，
３ｃ，３ｄの各制御部３０は、図５（ｃ）に示すように、自身の記憶部３９に対して人感
グループセンサ数Ｓを‘２’から‘３’へと更新させる。
【００３４】
次に、人感センサＢを１個取外すことで、正常に動作している人感センサＢの数を１個
減らしたときの動作について説明する。照明制御システム１は、図６（ａ）に示すように
、４個の照明装置３ａ，３ｂ，３ｃ，３ｄを備え、これらは全て人感グループに属してい
る。但し、実際に人感センサＢが接続されているのは、照明装置３ｂ及び３ｄのみである
。従って、照明装置３ａ，３ｂ，３ｃ，３ｄの各記憶部３９の人感グループセンサ数Ｓに
は‘２’が記憶されている。この状態から照明装置３ｂの人感センサＢを取外す。すると
以前まで人感センサＢから一定の間隔で照明装置３ｂの判定部４０へ送信されていた信号
が送信されなくなる。そして、照明装置３ｂの判定部４０は、自身の人感センサＢが正常
に動作していないと判定し、その判定結果を照明装置３ｂの制御部３０へ送信する。判定
結果を受信した照明装置３ｂの制御部３０は、図６（ｂ）に示すように、照明装置３ｂの
記憶部３９に対して人感グループセンサ数Ｓを‘２’から‘１’へと更新させる。これと
同時に照明装置３ｂの制御部３０は、通信部３６を通じて他の照明装置３ａ，３ｃ，３ｄ
へセンサ削除信号を送信する。そして、前記センサ削除信号を受信した照明装置３ａ，３
ｃ，３ｄの各制御部３０は、図６（ｃ）に示すように、自身の記憶部３９に対して人感グ
ループセンサ数Ｓを‘２’から‘１’へと更新させる。
【００３５】
そして、人感センサＢをほぼ同時に２個取外すことで、正常に動作している人感センサ
Ｂの総数をゼロにしたときの動作について説明する。照明制御システム１は、図７（ａ）
に示すように、４個の照明装置３ａ，３ｂ，３ｃ，３ｄを備え、これらは全て人感グルー
プに属している。但し、実際に人感センサＢが接続されているのは、照明装置３ｂ及び３
ｄのみである。従って、照明装置３ａ，３ｂ，３ｃ，３ｄの各記憶部３９の人感グループ
センサ数Ｓには‘２’が記憶されている。この状態から照明装置３ｂ及び３ｄの人感セン
サＢをほぼ同時に取外す。すると以前まで各々の人感センサＢから一定の間隔で照明装置
３ｂの判定部４０、及び照明装置３ｄの判定部４０へ送信されていた信号が送信されなく
なる。そして、照明装置３ｂの判定部４０、及び照明装置３ｄの判定部４０は、各々自身
の人感センサＢが正常に動作していないと判定し、その判定結果を各々自身の制御部３０
へ送信する。判定結果を受信した制御部３０は、図７（ｂ）に示すように、各々自身の記
憶部３９に対して人感グループセンサ数Ｓを‘２’から‘１’へと更新させる。これと同
時に前記両制御部３０，３０は、各々自身の通信部３６を通じてセンサ削除信号を送信す
る。このとき照明装置３ｄは、自身がセンサ削除信号を送信するよりも先に照明装置３ｂ
から送信されたセンサ削除信号を受信したため、自身のセンサ削除信号の送信を一時停止
する。そして、照明装置３ｂからセンサ削除信号を受信した照明装置３ａ，３ｃの各制御
部３０は、図７（ｃ）に示すように、各々自身の記憶部３９に対して人感グループセンサ
数Ｓを‘２’から‘１’へと更新させる。また、照明装置３ｂからセンサ削除信号を受信
した照明装置３ｄの制御部３０は、照明装置３ｄの記憶部３９に対して人感グループセン
サ数Ｓを‘１’から‘０’へと更新させるとともに、一時停止していた自身のセンサ削除
信号を送信する。照明装置３ｄからセンサ削除信号を受信した照明装置３ａ，３ｂ，３ｃ
の各制御部３０は、図７（ｄ）に示すように、各々自身の記憶部３９に対して人感グルー
プセンサ数Ｓを‘１’から‘０’へと更新させる。そして、各制御部３０は、各々自身の
記憶部３９に記憶されている人感グループセンサ数Ｓが‘０’であると判定して、各々自
身の点灯回路３２を制御して調光率１００％の照度で照明負荷３１を点灯させる。但し、
この場合の点灯に限り制御部３０は、記憶部３９に記憶されている点灯保持時間１０を参
照せず、人感グループセンサ数Ｓが‘１’以上になるまで照明負荷３１を点灯させる。
【００３６】
以下、人感グループセンサ数Ｓが時間経過とともに推移するときの調光率の変化につい
て図８及び図９を参照して説明する。図８はタイミングチャート図であり、時間Ｔに対し
て（ａ）は人感グループセンサ数Ｓの変化、（ｂ）は人が居る時の調光率Ｙの変化、（ｃ
）は人が居ない時の調光率Ｙ´の変化を示す。開始時に‘２’だった人感グループセンサ
数Ｓは、図８（ａ）に示すように、時間Ｔ１経過後に人感センサＢが１個抜け落ちして‘
１’となり、更に時間Ｔ２経過後に人感センサＢが１個故障して‘０’になっている。こ
れに対して人が居る時の各照明装置３は、図８（ｂ）に示すように、終始調光率Ｙ１００
％で点灯し続けており、特に時間Ｔ２以降の人感グループセンサ数Ｓが‘０’になっても
各照明装置３の調光率Ｙは１００％を維持している。また、人が居ない時の各照明装置３
は、図８（ｃ）に示すように、開始時から時間Ｔ２までの間の調光率Ｙ´０％、すなわち
消灯しており、時間Ｔ２の時に人感グループセンサ数Ｓが‘０’になると調光率Ｙ´は１
００％となり点灯を開始する。
【００３７】
また、図９は図８と同様にタイミングチャート図であり、時間ｔに対して（ａ）は人感
グループセンサ数Ｓの変化、（ｂ）は人が居る時の調光率Ｚの変化、（ｃ）は人が居ない
時の調光率Ｚ´の変化を示す。開始時に‘２’だった人感グループセンサ数Ｓは、図９（
ａ）に示すように、時間ｔ１経過後に人感センサＢが２個同時に故障して‘０’となり、
時間ｔ２経過後に作業者によって人感センサＢが１個取付けられて‘１’になっている。
これに対して人が居る時の各照明装置３は、図９（ｂ）に示すように、調光率Ｚ１００％
で点灯し続けており、時間ｔ１から時間ｔ２までの人感グループセンサ数Ｓが‘０’にな
っている間も調光率Ｚは１００％を維持している。また、人が居ない時の各照明装置３は
、図９（ｃ）に示すように、開始時から時間ｔ１までの間調光率Ｚ´０％で消灯しており
、時間ｔ１から時間ｔ２までの人感グループセンサ数Ｓが‘０’になっている間調光率Ｚ
´１００％で点灯している。ところで、時間ｔ２で人感センサＢが１個取付けられた後、
時間ｔ３までの暫く間調光率Ｚ´は１００％のままである。これは、人感センサＢの取り
付け作業を行った作業者が感知されて、人が居ない状態から一時的に人が居る状態へと変
化したからである。但し、作業者がその場から立ち去った時間ｔ３以降、再び調光率Ｚ´
は０％となり各照明装置３は消灯している。
【００３８】
以上説明した様に本実施形態の照明制御システム１は、抜け落ちや故障、取外しにより
正常に動作している人感センサＢの数がゼロになると、制御部３０が点灯回路３２を制御
して予め決められた所定の照度で照明負荷３１を点灯させるので、照明装置３が不点灯状
態となる不具合を防ぐことができる。また、人が居ないはずの空間が常に点灯状態へと切
り換わることで、利用者や管理者は、全ての人感センサＢが非接続であったり抜け落ちて
いたり故障していることを視認できる。そして、レイアウト変更時やメンテナンス時に作
業者が人感センサＢを全て取外してしまっても、従来の様に消灯してしまい作業に支障を
きたすといったことがない。尚、上述の説明では人感センサＢを例に挙げたが、明るさセ
ンサＡであっても同様の効果を奏することができる。即ち、抜け落ちや故障、取外しによ
り正常に動作している明るさセンサＡの数がゼロになっても、調光率１００％で照明装置
３を点灯させるので、例えば調光率５０％のまま点灯し続けるといった誤動作を防ぐこと
ができる。
【００３９】
ところで、上述の照明制御システム１は、全ての照明装置３に各々記憶部３９が設けら
れ、個々の照明装置３が、自身の判定部４０の判定結果と信号線４を通じて送信されてく
る他の照明装置３の判定結果とを基に正常に動作しているセンサ２の数を記憶し、センサ
２の数がゼロであれば自身の点灯回路３２を制御して照明負荷３１を点灯させる、所謂、
分散制御型の照明制御システム１であった。しかし、これに限らず例えば１台の親機とな
る照明装置３と複数の子機となる照明装置３とに区別して、親機にのみ記憶部３９が設け
られ、親機が子機から送信されてくる判定結果を基に正常に動作しているセンサ２の数を
記憶し、親機に各子機の点灯を制御させるような、所謂、集中制御型の照明制御システム
１であってもよい。
【００４０】
また、上述の照明制御システム１では、センサ２の数がゼロとなったとき、照明装置３
は一定の調光率１００％の照度で点灯を行っていた。しかし、調光率１００％でもって点
灯させる以外に調光率に照明負荷３１の総点灯時間に対応する保守率を乗じた照度で点灯
させてもよい。ここでいう保守率とは、照明負荷自体の光束減退及び照明装置に汚れが付
着することによる反射率の低下等を加味して、照明負荷の設置直後の照度と寿命時点の照
度とが同じになるように定めた乗率である。以下、図１０を参照して説明する。図１０は
タイミングチャート図であり、照明負荷の設置後点灯開始してから総点灯時間Ｔ´に対し
て（ａ）は照明負荷３１の光束Ｃの変化、（ｂ）は保守率Ｄの変化を示す。照明負荷３１
の光束Ｃは、図１０（ａ）に示すように、設置後点灯を開始してから総点灯時間Ｔ´が長
時間経過するとともに低下していく。つまり、照明負荷３１は、初期状態時は明るく点灯
時間が長くなるにつれて暗くなる。尚、図１０（ａ）は一例であり、図中の曲線は照明負
荷の種類によって個々に異なる。これに対して、保守率Ｄは、図１０（ｂ）に示すように
、照明負荷の設置後直後は０．７を示し、その後緩やかに１．０へと向かう。そして、設
置直後の調光率１００％に保守率Ｄ０．７を乗じたときの照度と、総点灯時間Ｔ´１２０
００ｈ時の調光率１００％に保守率Ｄ１．０を乗じたときの照度ととは等しい。この様な
保守率を記憶部３９に記憶させておけば、調光率１００％の照度で点灯を行うよりも照明
負荷３１が寿命を迎えるまでの間に消費される電力を抑えることができ、省エネルギ化を
図ることができる。尚、センサ２の数がゼロとなったとき以外に、例えば作業者が、調光
率を３０％に変更してセンサ２の取付けまたは取外し作業を行う際にも、調光率３０％に
上述の保守率Ｄを乗じた照度で点灯させれば、より省エネルギ化を図ることができる。
【符号の説明】
【００４１】
１  照明制御システム
２  センサ
３  照明装置
４  信号線
３０  制御部
３１  照明負荷
３２  点灯回路
３４  接続部
３６  通信部
４０  判定部
【図１】
2010176912.tif 000003
【図２】
2010176912.tif 000004
【図３】
2010176912.tif 000005
【図４】
2010176912.tif 000006
【図５】
2010176912.tif 000007
【図６】
2010176912.tif 000008
【図７】
2010176912.tif 000009
【図８】
2010176912.tif 000010
【図９】
2010176912.tif 000011
【図１０】
2010176912.tif 000012